(57)【要約】マシンタイプ通信を確立する方法は、デバイスからマシンタイプ通信のための接続要求を受け取ることを含む。接続要求は、デバイスのための認証証明を含む。マシンタイプ通信のための共用加入者識別モジュール（ＳＩＭ）パラメータは、認証証明に基づいて取得される。一実施形態において、本方法は、デバイスへ共用ＳＩＭパラメータを伝送すること、デバイスから登録要求を受け取ること、登録を行うこと、およびマシンタイプ通信のためのデータパケットを受け取ること等を含む。
2018522492.tif 000002
【特許請求の範囲】
【請求項１】
方法であって、該方法は、
マシンタイプ通信（ＭＴＣ）デバイスからマシンタイプ通信のための接続要求を受け取ることであって、該接続要求は、該ＭＴＣデバイスのための認証証明を含むことと、
該認証証明に基づいて該マシンタイプ通信のための共用加入者識別モジュール（ＳＩＭ）パラメータを取得することと
を含む、方法。
【請求項２】
前記ＭＴＣデバイスに前記共用ＳＩＭパラメータを伝送することをさらに含む、請求項１に記載の方法。
【請求項３】
前記ＭＴＣデバイスから登録要求を受け取ることであって、該登録要求は、前記共用ＳＩＭパラメータを含む、ことと、
該共用ＳＩＭパラメータを使用して該ＭＴＣデバイスをセルラーネットワークに登録することと、
該ＭＴＣデバイスから前記マシンタイプ通信のためのデータパケットを受け取ることと
をさらに含む、請求項２に記載の方法。
【請求項４】
前記ＭＴＣデバイスから登録解除指示を受け取ることと、
該登録解除指示に応答して、前記共用ＳＩＭパラメータを解放する解放メッセージを送ることと
をさらに含む、請求項３に記載の方法。
【請求項５】
前記ＭＴＣデバイスに伝送される前記共用ＳＩＭパラメータは、該ＭＴＣデバイスのパブリックキーによって暗号化される、請求項２に記載の方法。
【請求項６】
前記共用ＳＩＭパラメータを前記ＭＴＣデバイスへ送ることから独立して、該共用ＳＩＭパラメータを使用して該ＭＴＣデバイスのためのマシンタイプ通信チャネルを確立することをさらに含む、請求項１に記載の方法。
【請求項７】
前記共用ＳＩＭパラメータを取得することは、
デバイス管理サーバに前記認証証明を送ることと、
該認証証明に応答して、該共用ＳＩＭパラメータを受け取ることと
を含む、請求項１に記載の方法。
【請求項８】
前記ＭＴＣデバイスは、前記マシンタイプ通信のために構成されたロングタームエボリューション（ＬＴＥ）デバイスである、請求項１に記載の方法。
【請求項９】
前記共用ＳＩＭパラメータは、ネットワークアクセスノードに記憶され、前記ＭＴＣデバイスに伝送されない、請求項１に記載の方法。
【請求項１０】
前記接続要求は、ロングタームエボリューション（ＬＴＥ）アクセスメッセージにおいてカプセル化される低オーバーヘッド高層プロトコルを使用して伝送される、請求項１に記載の方法。
【請求項１１】
前記接続要求は、第１のワイヤレスネットワークを介して受け取られ、前記共用ＳＩＭパラメータは、該第１のワイヤレスネットワークとは異なる無線アクセス技術を使用する第２のワイヤレスネットワークのための通信を確立するために使用される、請求項１に記載の方法。
【請求項１２】
前記第１のワイヤレスネットワークは、ワイヤレスローカルエリアネットワーク（ＷＬＡＮ）無線アクセス技術を使用し、前記第２のワイヤレスネットワークは、ロングタームエボリューション（ＬＴＥ）無線アクセス技術を使用する、請求項１１に記載の方法。
【請求項１３】
方法であって、該方法は、
アクセスネットワークにマシンタイプ通信のための接続要求を伝送することであって、該接続要求は、マシンタイプ通信（ＭＴＣ）デバイスのための認証証明を含む、ことと、
該接続要求に応答して、該マシンタイプ通信のための共用加入者識別モジュール（ＳＩＭ）パラメータを受け取ることと、
通信チャネルのための登録要求を伝送することであって、該登録要求は、該共用ＳＩＭパラメータを含む、ことと、
該登録要求に応答して、通信チャネルを与える登録応答を受け取ることと、
該通信チャネルを介して該マシンタイプ通信のためのデータパケットを伝送することと
を含む、方法。
【請求項１４】
前記マシンタイプ通信のための前記データパケットは、前記アクセスネットワークを介して伝送される、請求項１３に記載の方法。
【請求項１５】
登録解除指示を伝送することをさらに含み、該登録解除指示は、前記共用ＳＩＭパラメータを解放する、請求項１３に記載の方法。
【請求項１６】
前記共用ＳＩＭパラメータを受け取ることは、暗号化された共用ＳＩＭパラメータを受け取ることを含み、前記方法は、
該暗号化された共用ＳＩＭパラメータを解読することをさらに含む、請求項１３に記載の方法。
【請求項１７】
前記接続要求は、前記マシンタイプ通信のために構成されたロングタームエボリューション（ＬＴＥ）ＭＴＣデバイスにおいて伝送される、請求項１３に記載の方法。
【請求項１８】
前記接続要求は、ロングタームエボリューション（ＬＴＥ）アクセスメッセージにおいてカプセル化される低オーバーヘッド高層プロトコルを使用して伝送される、請求項１３に記載の方法。
【請求項１９】
前記接続要求は、第１のワイヤレスネットワークを介して伝送され、前記共用ＳＩＭパラメータは、該第１のワイヤレスネットワークとは異なる無線アクセス技術を使用する第２のワイヤレスネットワークを介して前記マシンタイプ通信を確立するために使用される、請求項１３に記載の方法。
【請求項２０】
前記第１のワイヤレスネットワークは、ワイヤレスローカルエリアネットワーク（ＷＬＡＮ）無線アクセス技術を使用し、前記第２のワイヤレスネットワークは、ロングタームエボリューション（ＬＴＥ）無線アクセス技術を使用する、請求項１９に記載の方法。
【請求項２１】
デバイスであって、該デバイスは、
メモリと、
該メモリに通信可能に結合されている少なくとも１つのハードウェアプロセッサと
を備え、該少なくとも１つのハードウェアプロセッサは、
マシンタイプ通信（ＭＴＣ）デバイスからマシンタイプ通信のための接続要求を受け取ることであって、該接続要求は、該ＭＴＣデバイスのための認証証明を含む、ことと、
該認証証明に基づいて該マシンタイプ通信のための共用加入者識別モジュール（ＳＩＭ）パラメータを取得することと
を行うように構成されている、デバイス。
【請求項２２】
前記少なくとも１つのハードウェアプロセッサは、前記ＭＴＣデバイスに前記共用ＳＩＭパラメータを伝送するようにさらに構成されている、請求項２１に記載のデバイス。
【請求項２３】
前記少なくとも１つのハードウェアプロセッサは、
前記ＭＴＣデバイスから登録要求を受け取ることであって、該登録要求は、前記共用ＳＩＭパラメータを含む、ことと、
該共用ＳＩＭパラメータを使用して該ＭＴＣデバイスをセルラーネットワークに登録することと、
該ＭＴＣデバイスから前記マシンタイプ通信のためのデータパケットを受け取ることと
を行うようにさらに構成されている、請求項２２に記載のデバイス。
【請求項２４】
前記少なくとも１つのハードウェアプロセッサは、
前記ＭＴＣデバイスから登録解除指示を受け取ることと、
該登録解除指示に応答して、前記共用ＳＩＭパラメータを解放する解放メッセージを送ることと
を行うようにさらに構成されている、請求項２３に記載のデバイス。
【請求項２５】
前記ＭＴＣデバイスに伝送される前記共用ＳＩＭパラメータは、該ＭＴＣデバイスのパブリックキーによって暗号化されている、請求項２２に記載のデバイス。
【請求項２６】
前記少なくとも１つのハードウェアプロセッサは、
前記ＭＴＣデバイスに前記共用ＳＩＭパラメータを送ることから独立して、該共用ＳＩＭパラメータを使用して該ＭＴＣデバイスのためのマシンタイプ通信チャネルを確立するように更に構成されている、請求項２１に記載のデバイス。
【請求項２７】
前記共用ＳＩＭパラメータを取得することは、
デバイス管理サーバに前記認証証明を送ることと、
該認証証明に応答して、該共用ＳＩＭパラメータを受け取ることと
を含む、請求項２１に記載のデバイス。
【請求項２８】
前記ＭＴＣデバイスは、前記マシンタイプ通信のために構成されたロングタームエボリューション（ＬＴＥ）デバイスである、請求項２１に記載のデバイス。
【請求項２９】
前記共用ＳＩＭパラメータは、ネットワークアクセスノードにおいて記憶され、前記ＭＴＣデバイスに伝送されない、請求項２１に記載のデバイス。
【請求項３０】
前記接続要求は、ロングタームエボリューション（ＬＴＥ）アクセスメッセージにおいてカプセル化される低オーバーヘッド高層プロトコルを使用して伝送される、請求項２１に記載のデバイス。
【請求項３１】
前記接続要求は、第１のワイヤレスネットワークを介して受け取られ、前記共用ＳＩＭパラメータは、該第１のワイヤレスネットワークとは異なる無線アクセス技術を使用する第２のワイヤレスネットワークのための通信を確立するために使用される、請求項２１に記載のデバイス。
【請求項３２】
前記第１のワイヤレスネットワークは、ワイヤレスローカルエリアネットワーク（ＷＬＡＮ）無線アクセス技術を使用し、前記第２のワイヤレスネットワークは、ロングタームエボリューション（ＬＴＥ）無線アクセス技術を使用する、請求項３１に記載のデバイス。
【請求項３３】
デバイスであって、該デバイスは、
メモリと、
該メモリに通信可能に結合されている少なくとも１つのハードウェアプロセッサと
を備え、該少なくとも１つのハードウェアプロセッサは、
アクセスネットワークにマシンタイプ通信のための接続要求を伝送することであって、該接続要求は、該デバイスのための認証証明を含む、ことと、
該接続要求に応答して、該マシンタイプ通信のための共用加入者識別モジュール（ＳＩＭ）パラメータを受け取ることと、
通信チャネルのための登録要求を伝送することであって、該登録要求は、該共用ＳＩＭパラメータを含む、ことと、
該登録要求に応答して、通信チャネルを与える登録応答を受け取ることと、
該通信チャネルを介して該マシンタイプ通信のためのデータパケットを伝送することと
を行うように構成されている、デバイス。
【請求項３４】
前記マシンタイプ通信のための前記データパケットは、前記アクセスネットワークを介して伝送される、請求項３３に記載のデバイス。
【請求項３５】
前記少なくとも１つのハードウェアプロセッサは、
登録解除指示を伝送することであって、該登録解除指示は、前記ＳＩＭパラメータを解放するようにさらに構成される、請求項３３に記載のデバイス。
【請求項３６】
前記ＳＩＭパラメータを受け取ることは、暗号化された共用ＳＩＭパラメータを受け取ることを含み、前記デバイスは、
該暗号化された共用ＳＩＭパラメータを解読すること
をさらに含む、請求項３３に記載のデバイス。
【請求項３７】
前記デバイスは、前記マシンタイプ通信のために構成されているロングタームエボリューション（ＬＴＥ）デバイスを備えている、請求項３３に記載のデバイス。
【請求項３８】
前記接続要求は、ロングタームエボリューション（ＬＴＥ）アクセスメッセージにおいてカプセル化される低オーバーヘッド高層プロトコルを使用して伝送される、請求項３３に記載のデバイス。
【請求項３９】
前記接続要求は、第１のワイヤレスネットワークを介して伝送され、前記共用ＳＩＭパラメータは、該第１のワイヤレスネットワークとは異なる無線アクセス技術を使用する第２のワイヤレスネットワークを介して前記マシンタイプ通信を確立するために使用される、請求項３３に記載のデバイス。
【請求項４０】
前記第１のワイヤレスネットワークは、ワイヤレスローカルエリアネットワーク（ＷＬＡＮ）無線アクセス技術を使用し、前記第２のワイヤレスネットワークは、ロングタームエボリューション（ＬＴＥ）無線アクセス技術を使用する、請求項３９に記載のデバイス。
【請求項４１】
命令を含む有形の非一過性コンピュータ読み取り可能な媒体であって、該命令は、実行されると、
マシンタイプ通信（ＭＴＣ）デバイスからマシンタイプ通信のための接続要求を受け取ることであって、該接続要求は、該ＭＴＣデバイスのための認証証明を含む、ことと、
該認証証明に基づいて該マシンタイプ通信のための共用加入者識別モジュール（ＳＩＭ）パラメータを取得することと
を含む動作をコンピューティングデバイスに行わせる、有形の非一過性コンピュータ読み取り可能な媒体。
【請求項４２】
命令を含む有形の非一過性コンピュータ読み取り可能な媒体であって、該命令は、実行されると、
アクセスネットワークにマシンタイプ通信のための接続要求を伝送することであって、該接続要求は、該コンピューティングデバイスのための認証証明を含む、ことと、
該接続要求に応答して、該マシンタイプ通信のための共用加入者識別モジュール（ＳＩＭ）パラメータを受け取ることと、
通信チャネルのための登録要求を伝送することであって、該登録要求は、該共用ＳＩＭパラメータを含む、ことと、
該登録要求に応答して、通信チャネルを与える登録応答を受け取ることと、
該通信チャネルを介して該マシンタイプ通信のためのデータパケットを伝送することと
を含む動作をコンピューティングデバイスに行わせる、有形の非一過性コンピュータ読み取り可能な媒体。
【発明の詳細な説明】
【技術分野】
【０００１】
（優先権の主張）
本願は、２０１５年７月２９日に出願された米国出願第１４／８１２，７９６号の優先権を主張し、この内容は、全て本明細書において、参照により援用される。
【０００２】
（技術分野）
本開示は、通信システムにおけるデータ伝送に関し、より具体的には、マシンタイプ通信を確立することに関する。
【背景技術】
【０００３】
（背景）
モノのインターネット（IｏＴ）環境において、マシンは、他のマシンまたはデータ収集点と接続されることができる。いくつかの場合において、これらのマシンは、監視されることができ、これらのマシンの動作データは、収集および分析されることができる。このデータは、マシンタイプ通信において伝送されることができる。より多くのデバイスが接続されるに連れて、マシンタイプ通信は、急速に拡大しており、通信ネットワークの動作に対して著しい影響を有し得る。
【発明の概要】
【課題を解決するための手段】
【０００４】
（発明の詳細な説明）
本開示は、マシンタイプ通信を確立することに関する。マシンタイプ通信において、機器およびデバイスは、監視される必要がある１つ以上の属性に基づいてデータを生成し得る。このデータは、感知され、収集され、データが更に分析され得る収集点へ伝送され得る。例えば、スマートメーターは、住宅のエネルギー使用を感知し、データを電力会社に提供し得る。電力会社は、電力の管理、電力量の決定、および街の異なる地域の家庭への電力の送達において、データを分析し得る。
【０００５】
いくつかの場合において、マシンタイプ通信データは、いくつかのローカルエリアネットワーク技術または広域ネットワーク技術のうちの１つを使用して伝送されることができる。しかしながら、これらの技術は、広域な適用範囲のための安価で効率的なアクセスソリューションを提供しないこともある。例えば、Ｚｉｇｂｅｅ（登録商標）、ＷｉＦｉ、およびＢｌｕｅｔｏｏｔｈ（登録商標）は、短い距離にわたって伝送し得るローカルエリアネットワークである。ケーブルモデムまたはインターネットモデムは、建物の室内において利用可能であるが、室外など、広域にわたって偏在的な適用範囲を提供できないことがあり得る。セルラー技術は、広域な適用範囲を提供するが、セルラーネットワークを介しての定期的データチャネルデータへの加入の費用に加えて、第２世代（２Ｇ）能力、第３世代（３Ｇ）能力、および第４世代（４Ｇ）能力を有する通信モジュールを含み得るセルラーモデムの費用を考慮すると特に高額であり得る。警報監視システム等の低データ監視システムであっても、５ドル／月の小売価格を有し得る。したがって、マシンタイプ通信（ＭＴＣ）を提供するために現在のセルラー技術を使用することは、いくつかのアプリケーションにとって高価であり得る。
【０００６】
いくつかの実装において、低価格なマシンタイプ通信が確立され得る。ＭＴＣデバイスは、共用アクセスマニフェストパラメータを取得し得る。ＭＴＣデバイスは、共用アクセスマニフェストパラメータを使用して通信チャネルを確立し得る。ＭＴＣデバイスは、通信チャネルを使用してＭＴＣデータパケットを伝送し得る。伝送後、共用アクセスマニフェストパラメータは、異なるマシンタイプ通信のための異なるＭＴＣデバイスによって再利用され得る。
【図面の簡単な説明】
【０００７】
【図１】図１は、マシンタイプ通信を確立する例示的な通信システムである。
【図２】図２は、マシンタイプ通信を確立するための例示的なプロセスを示すメッセージ流れ図である。
【図３】図３は、マシンタイプ通信を確立するための別の例示的なプロセスを示すメッセージ流れ図である。
【図４】図４は、マシンタイプ通信を確立するための例示的な層状プロトコル構造を示す図である。
【図５】図５は、マシンタイプ通信を確立するための例示的な方法を示すフローチャートである。
【図６】図６は、マシンタイプ通信を確立するための別の例示的な方法を示すフローチャートである。
【０００８】
異なる図における同じ参照番号および同じ名称は、同じ要素を示す。
【発明を実施するための形態】
【０００９】
図１は、マシンタイプ通信を確立する例示的な通信システム１００である。例えば、ＭＴＣデバイスからマシンタイプ通信のための接続要求が受け取られ得る。接続要求は、ＭＴＣデバイスのための認証証明を含み得る。いくつかの実装において、ＭＴＣデバイスは、マシンタイプ通信のために構成されたロングタームエボリューション（ＬＴＥ）通信能力で作動させられ得る。マシンタイプ通信のための共用加入者識別モジュール（ＳＩＭ）パラメータは、認証証明に基づいて取得され得る。いくつかの実装において、ＳＩＭパラメータを取得することは、デバイス管理サーバに認証証明を送ることと、認証証明に応答して共用ＳＩＭパラメータを受け取ることとを含み得る。
【００１０】
いくつかの実装において、共用ＳＩＭパラメータは、ＭＴＣデバイスへ伝送され得る。いくつかの実装において、共用ＳＩＭパラメータは、ＭＴＣデバイスのパブリックキーによって暗号化され得る。いくつかの実装において、ＭＴＣデバイスから登録要求が受け取られ得る。登録要求は、共用ＳＩＭパラメータを含み得る。ＭＴＣデバイスは、共用ＳＩＭパラメータを使用してセルラーネットワークに登録され得る。データパケットは、マシンタイプ通信のためのＭＴＣデバイスから受け取られ得る。いくつかの実装において、登録解除指示は、ＭＴＣデバイスから受け取られ得る。登録解除指示に対応して、解放メッセージが送られ得る。解放メッセージは、共用ＳＩＭパラメータを解放し得る。いくつかの実装において、ＭＴＣデバイスのためのマシンタイプ通信チャネルは、共用ＳＩＭパラメータをＭＴＣデバイスへ送ることから独立している共用ＳＩＭパラメータを使用して確立され得る。
【００１１】
本明細書において説明される方法およびシステムに従ったマシンタイプ通信を確立することは、１つ以上の利点を提供し得る。例えば、複数のデバイス間で共用ＳＩＭパラメータを使用することによって、マシンタイプ通信のためのアクセスを提供する費用は、大幅に低減されることができる。更に、マシンタイプ通信のために構成されたＭＴＣデバイスは、低減された回路構成要素の組を含み得、簡略化された通信プロトコルをサポートし得る。従って、そのようなＭＴＣデバイスを作るための費用も、低減されることができる。更に、ＭＴＣデバイスを認証し、共用ＳＩＭパラメータを暗号化するために認証およびアクセスサーバ（Ａｕｔｈｅｎｔｉｃａｔｉｏｎ  ａｎｄ  Ａｃｃｅｓｓ  Ｓｅｒｖｅｒ）（ＡＡＳ）を使用することは、マシンタイプ通信のセキュリティを高め得る。他の利点は、当業者に明らかとなる。
【００１２】
高レベルにおいて、例示的な通信システム１００は、センサ１０４に結合されているデバイス１０６を含む。センサ１０４は、通信モジュール（ＣＭ）１０２に通信可能に結合されている。例示的な通信システム１００は、デバイス管理サーバ（ＤＭＳ）１２０も含み、デバイス管理サーバ（ＤＭＳ）１２０は、アクセスネットワーク（ＡＮ）１１０、認証およびアクセスサーバ（ＡＡＳ）１２２およびアプリケーションプラットフォーム１４０と通信するように構成されている。通信は、インターネットクラウド１３０を介して等、任意の適切な様式で生じ得る。ＡＮ１１０は、ＣＭ１０２と通信するようにも構成される。
【００１３】
示されるように、例示的な通信システム１００は、センサ１０４に結合されているデバイス１０６を含む。デバイス１０６は、監視のためのデータを生成するように構成されたデバイスを表す。デバイス１０６の例は、白物家電、家庭用電気機械器具、ファクトリーオートメーション、輸送機関、コンテナおよび保有車両等のアセット、および小売商品等を含む。センサ１０４は、デバイス１０６に関連するデータ、またはデバイス１０６が配置されている環境に関連するデータを感知するために使用されることができるハードウェア、ソフトウェア、アプリケーション、またはそれらの組み合わせを表す。
【００１４】
１つの例において、デバイス１０６は、エネルギー使用を記録する電気メーターを表す。いくつかの場合において、センサ１０４は、データ変換器およびマイクロプロセッサを含むことができる。マイクロプロセッサは、継続的にデバイス１０６を監視し、記録されたエネルギー使用を受け取るように構成されることができる。データ変換器は、デバイス１０６からのアナログ情報をマイクロプロセッサが処理できるデジタルデータに変換することができる。センサ１０４は、伝送のためにＣＭ１０２に感知されたデータを送ることができる。いくつかの場合において、センサ１０４は、デバイス１０６に埋め込まれることができる。いくつかの場合において、デバイス１０６は、センサを埋め込み得、それによって明示的なセンサ１０４が省略されることができ、逆もまた同様である。別の例において、デバイス１０６は、自動車である。センサ１０４は、自動車内のエンジンデータ等の乗り物データを監視し、データをＣＭ１０２へ送るように構成される。エンジンデータは、運転パターンおよび燃料消費を把握するために分析されることができる。自動車内のセンサの別の例は、動きを感知して、自動車が動いているか、または止まっているかを報告するために使用されることができる加速度計である。
【００１５】
例示的な通信システム１００は、ＣＭ１０２を含む。ＣＭ１０２は、マシンタイプ通信のためのＡＮ１１０と通信するように構成されることができるアプリケーション、アプリケーションの組、ソフトウェア、ソフトウェアモジュール、ハードウェア、またはそれらの組み合わせを表す。ＣＭ１０２は、センサ１０４またはデバイス１０６からデータを受け取り、データをＡＮ１１０に伝送する。いくつかの場合において、ＣＭ１０２は、ＭＴＣデバイスであることができる。一般的な説明において、“ＭＴＣデバイス”という用語は、通信セッションを開始および／または終了することができる任意のハードウェア構成要素および／またはソフトウェア構成要素を指すこともできる。
【００１６】
いくつかの場合において、ＣＭ１０２は、ワイヤレスモデムまたは有線モデムを含むことができる。有線モデムの例は、デジタル加入者線（ＤＳＬ）、光ケーブル、同軸ケーブル、または任意の他の有線アクセス技術を介してデータを伝送するか、または受け取るように構成されたモデムを含む。ワイヤレスモデムの例は、Ｗｉ−Ｆｉモデム、Ｚｉｇｂｅｅ（登録商標）モデム、衛星モデム、またはセルラーモデムを含む。セルラーモデムの例は、モバイル通信のためのグローバルシステム（Ｇｌｏｂａｌ  Ｓｙｓｔｅｍ  ｆｏｒ  Ｍｏｂｉｌｅ  ｃｏｍｍｕｎｉｃａｔｉｏｎ）（ＧＳＭ（登録商標））、インターリムスタンダード９５（ＩＳ−９５）、ユニバーサル移動体通信システム（ＵＭＴＳ）、ＣＤＭＡ２０００（符号分割多元接続）、進化型ユニバーサル移動体通信システム（Ｅ−ＵＭＴＳ）、ロングタームエボリューション（ＬＴＥ）、ＬＴＥ−アドバンス、または任意の他の無線アクセス技術を使用してデータを伝送しかつ受け取るように構成されることができるモデムを含む。
【００１７】
いくつかの場合において、セルラーモデムは、複数の無線アクセス技術のための回路構成要素と、メモリ記憶ユニットと、無線周波数帯域を対象とする無線周波数構成要素およびほかの周辺インターフェースのためのソフトウェアとを含み得る。いくつかの場合において、ＣＭ１０２は、マシンタイプ通信のために構成された低価格のセルラーモデムとして実装されることができる。例えば、ＣＭ１０２は、低減された機能性を有するＬＴＥモデムを含み得る。いくつかの場合において、ＬＴＥ技術は、世界にわたって広い適用範囲を提示し得る。ＬＴＥ技術は、より低価格でのより早いデータ速度も提供し得る。ＬＴＥ技術は、バースト的データの伝送にも適しており、それにより、複数のデバイスがＡＮ１１０にアクセスを共用するための効率的な仕方を提供する。いくつかの場合において、ＣＭ１０２は、ＬＴＥ  ＭＴＣデバイス（ＵＥ）を含み得る。
【００１８】
いくつかの場合において、ＣＭ１０２は、単一の無線アクセス技術をサポートするように構成され得る。例えば、ＣＭ１０２は、唯一の無線アクセス技術としてＬＴＥをサポートするように構成され得る。ＣＭ１０２は、固定されたデバイスのために、限られた無線周波数帯域の組と、低減されたプロトコルスタックとのみをサポートするようにも構成され得る（例えば無線アクセス間トランスポートハンドオーバーをサポートしない）。無線アクセス間トランスポートハンドオーバーの例は、第３世代（３Ｇ）無線トランスポートから第４世代（４Ｇ）無線トランスポートへのハンドオーバーである。低減された無線周波数帯域と、第２世代（２Ｇ）回路および第３世代（３Ｇ）回路の除去と、限定された周辺機器およびＩ／Ｏ回路と、ソフトウェア要件およびメモリ要件の低減とにより、ＣＭ１０２の費用は、大幅に低減されることができる。
【００１９】
いくつかの場合において、ＣＭ１０２は、センサ１０４またはデバイス１０６から受け取られたデータを記憶、バッファリング、マーク、またはタグ付けするように構成されることができる。いくつかの場合において、ＣＭ１０２は、データを暗号化することもでき、ＡＮ１１０とデータを通信することができる。図２〜図６およびそれらに伴う説明は、特定の実装の追加の詳細を提供する。
【００２０】
例示的な通信システム１００は、ＡＮ１１０も含む。ＡＮ１１０は、アクセスインターフェースを介してＣＭ１０２と通信し、インターネットを介して例示的な通信システム１００の他の要素と更に通信するように構成されることができるアプリケーション、アプリケーションの組、ソフトウェア、ソフトウェアモジュール、ハードウェア、またはそれらの組み合わせを表す。ＡＮ１１０は、デジタル加入者線（ＤＳＬ）、光ケーブル、同軸ケーブル、または有線ローカルエリアネットワーク（ＬＡＮ）等の有線アクセス技術を介してＣＭ１０２と通信するように構成されることもできる。ＡＮ１１０は、Ｗｉ−Ｆｉ、Ｚｉｇｂｅｅ（登録商標）、Ｂｌｕｅｔｏｏｔｈ（登録商標）、パーソナルエリアネットワーク（ＰＡＮ）、または上記のセルラーアクセス技術のうちの任意のもの等のワイヤレスアクセス技術を介してＣＭ１０２と通信するように構成されることもできる。１つの例において、ＡＮ１１０は、１つ以上のｅ−Ｎｏｄｅ  Ｂ（ｅＮＢ）および進化型パケットコア（ＥＰＣ）を含むＬＴＥネットワークであることができる。別の例において、ＡＮ１１０は、Ｗｉ−Ｆｉアクセスポイントであることができる。
【００２１】
いくつかの場合において、ＡＮ１１０は、仮想移動体通信事業者（ＭＶＮＯ）によって動作させられるネットワークであることができる。ＡＮ１１０は、代替または組み合わせで、従来型のセルラーオペレーターによって動作させられることができる。いくつかの場合において、従来型のセルラーオペレーターによって動作させられるネットワークのための初期アクセス手順は、マシンタイプ通信を確立するために修正され得る。
【００２２】
示されるように、例示的な通信システム１００は、ＤＭＳ１２０も含む。ＤＭＳ１２０は、マシンタイプ通信を制御するためにインターネットクラウド１３０を介してＣＭ１０２と通信するように構成されることができるアプリケーション、アプリケーションの組、ソフトウェア、ソフトウェアモジュール、ハードウェア、またはそれらの組み合わせを表す。例えば、ＤＭＳ１２０は、ＣＭ１０２にウェイクアップすること、データを収集すること、データをＤＭＳ１２０に送ること、スリープすることをコマンドするように構成されることができる。
【００２３】
例示的な通信システム１００は、アプリケーションプラットフォーム１４０も含む。アプリケーションプラットフォーム１４０は、ＣＭ１０２によって伝送されたデータを処理するように構成されることができるアプリケーション、アプリケーションの組、ソフトウェア、ソフトウェアモジュール、ハードウェア、またはそれらの組み合わせを表す。いくつかの場合において、アプリケーションプラットフォーム１４０は、ＤＭＳ１２０と通信可能に結合されているサーバ上に実装されることができる。アプリケーションプラットフォーム１４０は、代替または組み合わせで、ＤＭＳ１２０と同じプラットフォーム上に実装されることができる。いくつかの場合において、アプリケーションプラットフォーム１４０は、データを受け取り、ソートし、分類し、分析するように構成されることができる。いくつかの場合において、アプリケーションプラットフォーム１４０は、請求書および報告書を作成するように構成されることができる。いくつかの場合において、アプリケーションプラットフォーム１４０は、例えば、健康管理（Ｈｅａｌｔｈ  ｃａｒｅ）、小売り（Ｒｅｔａｉｌ）、自動車関係（Ａｕｔｏｍｏｔｉｖｅ）、資産追跡（Ａｓｓｅｔ  Ｔｒａｃｋｉｎｇ）、フリート管理（Ｆｌｅｅｔ  Ｍａｎａｇｅｍｅｎｔ）、および検針（Ｍｅｔｅｒｉｎｇ）等の１つ以上のバーティカル業務をサポートすることができる。各バーティカル業務は、アプリケーションプラットフォーム１４０上で動いているアプリケーションによってサポートされることができる。
【００２４】
例示的な通信システム１００は、ＡＡＳ１２２を含む。ＡＡＳ１２２は、ＣＭ１０２を認証し、マシンタイプ通信チャネルの確立のためのアクセスマニフェストパラメータを提供するように構成されることができるアプリケーション、アプリケーションの組、ソフトウェア、ソフトウェアモジュール、ハードウェア、またはそれらの組み合わせを表す。いくつかの場合において、ＡＡＳ１２２は、ＣＭ１０２のデバイス識別を使用してＣＭ１０２を認証できる。図２〜図６およびそれらに伴う説明は、特定の実装の追加の詳細を提供する。
【００２５】
動作において、ＡＮ１１０は、ＣＭ１０２からマシンタイプ通信のための接続要求を受け取る。接続要求は、ＣＭ１０２のための認証証明を含む。ＡＮ１１０は、認証証明に基づいてマシンタイプ通信のための共用加入者識別モジュール（ＳＩＭ）パラメータを取得する。いくつかの場合において、ＡＮ１１０は、共用ＳＩＭパラメータをＣＭ１０２へ伝送する。ＡＮ１１０は、ＣＭ１０２から登録要求を受け取る。登録要求は、共用ＳＩＭパラメータを含み得る。ＡＮ１１０は、共用ＳＩＭパラメータを使用してＣＭ１０２を登録する。ＡＮ１１０は、ＣＭ１０２からマシンタイプ通信のためのデータパケットを受け取る。ＡＮ１１０は、ＤＭＳ１２０にデータを伝送し、ＤＭＳ１２０は、アプリケーションプラットフォーム１４０にデータを転送する。いくつかの場合において、ＡＮ１１０は、直接アプリケーションプラットフォーム１４０にデータを伝送し得る。図２〜図６およびそれらに伴う説明は、アップリンク（ＵＬ）伝送と、ダウンリンク（ＤＬ）伝送との両方の追加の詳細を提供する。
【００２６】
図１の要素が、様々な特徴および機能性を実装する様々な構成部品、部分、またはモジュールを含むとして示される一方、それにも関わらずこれらの要素は、適切にいくつかのサブモジュール、第三者サービス、構成要素、およびライブラリ等を代わりに含み得る。更に、様々な構成要素の特徴および機能性は、より少ない構成要素に適切に組み合わせられることができる。
【００２７】
図２は、マシンタイプ通信を確立するための例示的プロセスを示すメッセージ流れ図２００である。メッセージ流れ図２００は、ＣＭ１０２と、ＡＮ１１０と、ＤＭＳ１２０と、ＡＡＳ１２２とを含む。示される例において、ＣＭ１０２は、監視データを収集するセンサと通信可能に結合されている。例えば、ＣＭ１０２は、住宅のエネルギー使用を監視し、エネルギー使用のためのデータを収集するスマートメーターと通信可能に結合されることができる。いくつかの場合において、スマートメーターは、監視されたデータをＣＭ１０２へ送ることができる。いくつかの場合において、データは、シリアルリンク、パラレルリンク、またはＵＳＢリンクを介して送られることができる。例えば、トランザクションレイヤパケット（ＴＬＰ）／ＵＳＢ２．０トランシーバマクロセルインタフェース（ＵＴＭＩ）ローピンインターフェース（ＵＬＰＩ）リンクまたはＩＣ間（Ｉ２Ｃ）リンク等の低電力リンクが、スマートメーターと、ＣＭ１０２との間の通信リンクとして使用されることができる。いくつかの場合において、ＣＭ１０２は、マシンタイプ通信のためのデータをパッケージにすることができる。例えば、ＣＭ１０２は、データ、収集の時間、または両方を特定するタイムスタンプを含むことができる。ＣＭ１０２は、メーターの位置、メーター識別、家識別、温度、またはそれらの任意の組み合わせ等の他の関連するデータも含むことができる。加えて、ＣＭ１０２は、セキュリティのためにマシンタイプ通信データパッケージを暗号化することができる。
【００２８】
２０２では、ＣＭ１０２は、ＡＮ１１０とのアタッチ手順を開始する。いくつかの場合において、ＣＭ１０２は、ＡＮ１１０へ接続要求を送ることによってアタッチ手順を開始することができる。接続要求は、ＣＭ１０２のための認証証明を含むことができる。認証証明は、ＣＭ１０２の識別を含むことができる。識別の例は、国際移動体加入者識別番号（ＩＭＳＩ）、システムアーキテクチャエボリューション（ＳＡＥ）一時的移動体加入者識別（Ｓ−ＴＭＳＩ）、任意の他の電子機器識別器、またはそれらの組み合わせを含む。いくつかの場合において、Ｓ−ＴＭＳＩは、モバイルマネジメントエンティティ（ＭＭＥ）一時的移動体加入者識別（Ｍ−ＴＭＳＩ）およびＭＭＥコード（ＭＭＥＣ）を含むことができる。いくつかの場合において、接続要求はまた、接続はマシンタイプ通信のためのものであるという指示を含むことができる。
【００２９】
２０４では、ＡＮ１１０は、ＤＭＳ１２０にアクセス要求を送る。アクセス要求は、マシンタイプ通信のためのアクセスが要求されたことを示すことができる。いくつかの場合において、アクセス要求は、ＡＮ１１０によって受け取られた接続要求におけるＣＭ１０２の識別等の認証証明を含むことができる。
【００３０】
２０６では、ＤＭＳ１２０は、ＡＡＳ１２２へ認証要求を送る。いくつかの場合において、認証要求は、ＣＭ１０２の認証証明を含むことができる。２０８では、ＡＡＳ１２２は、認証証明を使用してＣＭ１０２を認証する。いくつかの場合において、ＡＡＳ１２２は、認証手順を実行するために楕円曲線暗号（ＥＣＣ）証書ベース認証手順を使用することができる。そのような認証手順の例は、ＥＣＣ証書／署名を使用するＴＬＳ（トランスポート層セキュリティ）プロトコルを使用することを含む。いくつかの場合において、認証証明は、認証手順において使用される、キー、証書、シークレット、署名、またはそれらの組み合わせを含み得る。いくつかの場合において、ＣＭ１０２は、認証証明に加えて、キー、証書、シークレット、署名、またはそれらの組み合わせを送り得る。認証手順の間、ＡＡＳ１２２は、マシンタイプ通信のための認可されたデバイスとしてＣＭ１０２を検証できる。ＡＡＳ１２２は、ＣＭ１０２の記憶されたプロファイルに基づいて、ＣＭ１０２がマシンタイプ通信のための最新の加入を有することを確認することもできる。
【００３１】
２１０では、ＡＡＳ１２２は、ＤＭＳ１２０に認証応答を送る。認証応答は、認証が成功したかどうかを指示する。認証が成功しなければ、ＤＭＳ１２０は、ＡＮ１１０へアクセス応答送ることができ、ＡＮ１１０は、ＣＭ１０２のアタッチ手順を終了することができる。
【００３２】
認証が成功すれば、ＡＡＳ１２２は、認証応答メッセージに１つ以上のアクセスマニフェストパラメータを含めることができる。アクセスマニフェストパラメータは、ＣＭ１０２とＤＭＳ１２０との間に通信チャネルを確立するためのパラメータを含む。１つの例において、アクセスマニフェストパラメータは、１つ以上の加入者識別モジュール（ＳＩＭ）パラメータを含むことができる。１つ以上のＳＩＭパラメータは、セルラーネットワークを介して接続を確立するために使用されることができる。別の例において、アクセスマニフェストパラメータは、キーまたは他の固有の識別子を含むことができる。キーは、Ｗｉ−ＦｉまたはＺｉｇｂｅｅ（登録商標）ネットワーク等を介して接続を確立するために使用されることができる。いくつかの場合において、ＡＡＳ１２２は、アクセスマニフェストパラメータのプールにアクセスし、プールから占有されていないアクセスマニフェストパラメータを選択することができる。例えば、ＡＡＳ１２２は、共用ＳＩＭパラメータのプールにアクセスすることができる。ＡＡＳ１２２は、別の通信モジュール（ＣＭ）によって現在使用されていない共用ＳＩＭパラメータのプールの中から共用ＳＩＭパラメータを選択し、選択された共用ＳＩＭパラメータを認証応答に含めることができる。
【００３３】
いくつかの場合において、ＡＡＳ１２２は、アクセスマニフェストパラメータを暗号化し、暗号化されたアクセスマニフェストパラメータを認証応答に含めることができる。例えば、ＡＡＳ１２２は、アクセスマニフェストパラメータを暗号化するためにＣＭ１０２のパブリックキーを使用することができる。
【００３４】
２１２では、ＤＭＳ１２０は、ＡＮ１１０へアクセス応答を送る。前述したように、認証が成功しなければ、アクセス応答は、アクセス要求の拒否を指示し得る。認証が成功すれば、アクセス応答は、ＤＭＳ１２０がＡＡＳ１２２から受け取るアクセスマニフェストパラメータを含むことができる。
【００３５】
いくつかの実装において、ＤＭＳ１２０がアクセスマニフェストパラメータをＡＮ１１０へ転送できるようにアクセスマニフェストパラメータをＤＭＳ１２０へ送る代わりに、ＡＡＳ１２２は、アクセスマニフェストパラメータをＡＮ１１０へ直接送ることができる。
【００３６】
２１４では、ＡＮ１１０は、ＣＭ１０２へ接続応答を送る。接続応答は、ＣＭ１０２のためのアクセスマニフェストパラメータを含む。前述したように、いくつかの場合において、アクセスマニフェストパラメータは、暗号化されることができる。これらの場合または他の場合において、ＣＭ１０２は、アクセスマニフェストパラメータを解読できる。
【００３７】
２１６では、ＣＭ１０２は、アクセスマニフェストパラメータを使用してＤＭＳ１２０との通信チャネルを確立する。いくつかの場合において、ＡＮ１１０は、通信チャネルを提供するアクセスネットワークであることができる。１つの例において、ＡＮ１１０は、ＬＴＥネットワーク等のセルラーネットワークである。ＣＭ１０２は、ＡＮ１１０へ登録要求を送ることができる。登録要求は、ＣＭ１０２が２１４で受け取る、共用ＳＩＭパラメータ等のマニフェストパラメータを含むことができる。ＡＮ１１０は、アクセスネットワークにＣＭ１０２を登録するためにアクセスマニフェストパラメータを使用することができる。登録が成功すると、ＡＮ１１０は、ＣＭ１０２のための通信チャネルを確立することができる。ＣＭ１０２は、通信チャネルを介して、マシンタイプ通信のデータパッケージをＡＮ１１０へ送り、更にＤＭＳ１２０へ送ることができる。
【００３８】
代替として、ＣＭ１０２は、ＤＭＳ１２０との通信チャネルを確立するために、ＡＮ１１０とは異なるアクセスネットワークを使用することができる。１つの例において、ＡＮ１１０はＷｉ−Ｆｉネットワークであり、ＣＭ１０２は、共用ＳＩＭパラメータ等のアクセスマニフェストパラメータを受け取るために、ＡＮ１１０を使用する。ＣＭ１０２は、ＬＴＥネットワークに登録するために共用ＳＩＭパラメータを使用することができ、ＬＴＥネットワークを使用してマシンタイプ通信データパッケージをＤＭＳ１２０へ伝送することができる。別の例において、ＡＮ１１０は、セルラーネットワークであり、ＣＭ１０２は、共用トークンまたは共用キーを受け取るためにＡＮ１１０を使用する。ＣＭ１０２は、Ｗｉ−ＦｉまたはＺｉｇｂｅｅ（登録商標）ネットワークに登録するために共用トークンまたは共用キーを使用することができ、Ｗｉ−ＦｉまたはＺｉｇｂｅｅ（登録商標）ネットワークを使用してマシンタイプ通信データパッケージをＤＭＳ１２０へ伝送することができる。
【００３９】
いくつかの場合において、ＣＭ１０２がマシンタイプ通信データパッケージの伝送を完了した後、ＣＭ１０２は、ＡＮ１１０へ登録解除指示を送り、アクセスマニフェストパラメータを削除し、スリープすることができる。登録解除指示に応答して、ＡＮ１１０は、ＡＡＳ１２２へ解放メッセージを送ることができる。代替または組み合わせで、ＤＭＳ１２０は、ＤＭＳ１２０がＣＭ１０２からマシンタイプ通信データパッケージを受け取った後、ＡＡＳ１２２へ解放メッセージを送ることができる。解放メッセージは、アクセスマニフェストパラメータ、ＣＭ１０２の識別、またはそれらの組み合わせを含み得る。解放メッセージは、共用ＳＩＭパラメータ等のアクセスマニフェストパラメータが解放されて他の通信モジュール（ＣＭ）のために使用されることができることを指示する。従って、アクセスマニフェストパラメータは、別の通信モジュール（ＣＭ）がマシンタイプ通信のための接続を要求するとき、再利用されることができる。
【００４０】
いくつかの場合において、ＡＡＳ１２２は、解放メッセージから独立している共用アクセスマニフェストパラメータのプールを管理することができる。例えば、ＡＡＳ１２２は、通信モジュール（ＣＭ）に割り当てられた各共用アクセスマニフェストパラメータに対してタイマーを設定し得る。タイマーは、マシンタイプ通信データパッケージの伝送に使用され得る推定された時間に従って設定され得る。タイマーが時間切れになると、ＡＡＳ１２２は、割り当てられた共用マニフェストパラメータが別の通信モジュール（ＣＭ）のために再利用されることができると判断できる。
【００４１】
複数の通信モジュール間で異なるときにアクセスマニフェストパラメータを共用することによって、マシンタイプ通信のための通信チャネルを提供するための費用は、低減されることができる。例えば、１０００のデバイス間で毎月３ＧＢのデータが共用されることができると仮定すると、各デバイスは、毎月３ＭＧのデータを伝送することができる。これは、各デバイスから毎日１００ＫＢのデータを伝送することと同等である。更に、３ＧＢ／月のチャネルの費用が卸売価格で約２０ドルであると仮定すると、デバイス毎のサービスの費用は、理論上２０ドル／１０００＝０．０２ドル／デバイス／月となることができる。従って、このアプローチは、広域な適用範囲にわたってマシンタイプ通信データを伝送する費用を大幅に低減させる。代替として、データ使用をデバイス間で共用する（しかし通常は同時には使用しない）ことによって、企業が購入するデータをより完全に利用することを可能にし得る。
【００４２】
いくつかの場合において、ＡＮ１１０は、アクセスマニフェストパラメータをＣＭ１０２へ送ることなく、ＣＭ１０２のための通信チャネルを確立することができる。図３は、マシンタイプ通信を確立するための別の例示的プロセスを示すメッセージ流れ図３００である。メッセージ流れ図３００は、ＣＭ１０２と、ＡＮ１１０と、ＤＭＳ１２０と、ＡＡＳ１２２とを含む。前述したように、ＣＭ１０２は、センサと通信可能に結合される。ＣＭ１０２は、センサから監視されたデータを受け取り、マシンタイプ通信のためにデータをパッケージにする。
【００４３】
３０２では、ＣＭ１０２は、ＡＮ１１０とのアタッチ手順を開始する。前述したように、ＣＭ１０２は、ＡＮ１１０へ接続要求を送ることによって、アタッチ手順を開始することができる。接続要求は、ＣＭ１０２のための認証証明を含むことができる。３０４では、ＡＮ１１０は、ＤＭＳ１２０へアクセス要求を送る。いくつかの場合において、アクセス要求は、認証証明を含むことができる。３０６では、ＤＭＳ１２０は、ＡＡＳ１２２へ認証要求を送る。いくつかの場合において、認証要求は、ＣＭ１０２の認証証明を含むことができる。３０８では、ＡＡＳ１２２は、認証証明を使用してＣＭ１０２を認証する。３１０では、ＡＡＳ１２２は、ＤＭＳ１２０へ認証応答を送る。前述したように、認証応答は、ＣＭ１０２とＤＭＳ１２０との間に通信チャネルを確立するために使用されることができる１つ以上のアクセスマニフェストパラメータを含むことができる。３１２では、ＤＭＳ１２０は、ＡＮ１１０へアクセス応答を送る。アクセス応答は、アクセスマニフェストパラメータを含むことができる。
【００４４】
いくつかの場合において、３１４では、ＡＮ１１０は、ＣＭ１０２へアクセスマニフェストパラメータを送ることなくＣＭ１０２のための通信チャネルを確立するために、アクセスマニフェストパラメータを使用する。ＡＮ１１０は、それが受け取るアクセスマニフェストパラメータを使用してＣＭ１０２を登録でき、登録が成功すると、ＣＭ１０２のための通信チャネルを確立することができる。３１６では、ＡＮ１１０は、ＣＭ１０２へ接続応答を送ることができる。接続要求は、通信チャネルが確立されたことをＣＭ１０２に指示する。３１８において、ＣＭ１０２は、通信チャネルを介してマシンタイプ通信のデータパッケージをＤＭＳ１２０へ送ることができる。
【００４５】
ＡＮ１１０においてアクセスマニフェストパラメータを記憶することは、１つ以上の利点を提供し得る。例えば、このアプローチは、マシンタイプ通信データパケットを送った後に不正な通信モジュール（ＣＭ）がアクセスマニフェストパラメータを使用し続けることを防ぎ得る。
【００４６】
図４は、マシンタイプ通信を確立するための例示的な層状プロトコル構造４００を示す図である。構造４００は、ＣＭ１０２と、ＡＮ１１０と、ＤＭＳ１２０と、ＡＡＳ１２２と、インターネットクラウド１３０とを含む。示されるように、ＣＭ１０２は、低層アクセスプロトコルを使用してＡＮ１１０と通信する。いくつかの場合において、低層アクセスプロトコルは、ＡＮ１１０によって使用されるアクセス技術に基づいている。１つの例において、ＡＮ１１０は、ＬＴＥネットワークであり、従って、アクセスプロトコルは、ＬＴＥアクセスプロトコルである。別の例において、ＡＮ１１０は、Ｗｉ−Ｆｉネットワークであり、従って、アクセスプロトコルは、Ｗｉ−Ｆｉプロトコルである。ＡＮ１１０は、インターネットプロトコル等の高層プロトコルを使用して、インターネットクラウド１３０を介してＤＭＳ１２０と通信する。いくつかの場合において、ＣＭ１０２は、制約付きコマンドセッション開始プロトコル（ＳＩＰ）型プロトコルまたは制約付きアプリケーションプロトコル（ＣｏＡＰ）等の低オーバーヘッドプロトコルを使用してＤＭＳ１２０と通信できる。この場合、ペイロードは、低オーバーヘッドプロトコルでカプセル化され、次にＬＴＥアクセスプロトコル内でカプセル化される。ＬＴＥアクセスプロトコルは、ＡＮ１１０内で終了し、次にＡＮ１１０は、低オーバーヘッドプロトコルでカプセル化されたペイロードをＤＭＳ１２０へ送る。ＤＭＳ１２０は、低オーバーヘッドプロトコルからペイロードを抽出してそれをＤＭＳ１２０による処理のために適切なフォーマットで送ることができるプロキシを有するであろう。いくつかの場合において、ＣＭ１０２は、ＬＴＥプロトコル内でカプセル化されたＴＣＰ／ＩＰパケットのようにより高レベルなプロトコルにおいてペイロード情報をカプセル化できる。上記のように、ＬＴＥプロトコルは、ＡＮ１１０で終了し、次にＡＮ１１０は、より高レベルなプロトコルでカプセル化されたペイロードをＤＭＳ１２０へ送る。ＤＭＳ１２０は、低オーバーヘッドプロトコルからペイロードを抽出してそれをＤＭＳ１２０による処理のために適切なフォーマットで送ることができるプロキシを有するであろう。
【００４７】
いくつかの場合において、ＤＭＳ１２０は、妥当性プロトコルを使用してＡＡＳ１２２と通信できる。認証およびアクセスマニフェストグラントプロトコル（Ａｕｔｈｅｎｔｉｃａｔｉｏｎ  ａｎｄ  Ａｃｃｅｓｓ  Ｍａｎｉｆｅｓｔ  Ｇｒａｎｔ  Ｐｒｏｔｏｃｏｌ）（ＡＡＭＧＰ）は、前述された認証要求および認証応答を伝送するように構成されることができる。前述したように、いくつかの場合において、ＡＮ１１０は、例えばアクセスマニフェストパラメータを受け取るために、ＡＡＳ１２２と直接通信し得る。これらの場合または他の場合において、ＡＡＳ１２２は、ＡＡＭＧＰにおいてアクセスマニフェストパラメータをパッケージにし、次にインターネットプロトコルにおいてさらにパッケージをカプセル化し、インターネットクラウド１３０を介してＡＮ１１０へ伝送することができる。
【００４８】
図５は、マシンタイプ通信を確立するための例示的な方法５００を示すフローチャートである。方法５００は、マシンタイプ通信のための接続要求がＭＴＣデバイスから受け取られるブロック５０２から開始し得る。接続要求は、ＭＴＣデバイスのための認証証明を含む。いくつかの実装において、ＭＴＣデバイスは、マシンタイプ通信のために構成されたロングタームエボリューション（ＬＴＥ）ＭＴＣデバイスであり得る。ブロック５０４では、認証証明は、デバイス管理サーバ（ＤＭＳ）へ送られる。ブロック５０６では、認証証明に応答して、共用ＳＩＭパラメータが受け取られる。
【００４９】
ブロック５０８では、共用ＳＩＭパラメータは、ＭＴＣデバイスへ伝送される。いくつかの実装において、共用ＳＩＭパラメータは、ＭＴＣデバイスのパブリックキーによって暗号化され得る。いくつかの実装において、ＭＴＣデバイスのためのマシンタイプ通信チャネルは、ＭＴＣデバイスへ共用ＳＩＭパラメータを送ることから独立している共用ＳＩＭパラメータを使用して確立され得る。
【００５０】
ブロック５１０において、登録要求が、ＭＴＣデバイスから受け取られる。登録要求は、共用ＳＩＭパラメータを含む。ブロック５１２では、ＭＴＣデバイスは、共用ＳＩＭパラメータを使用してセルラーネットワークに登録される。ブロック５１４では、マシンタイプ通信のためのＭＴＣデバイスからデータパケットが受け取られる。ブロック５１６では、ＭＴＣデバイスから登録解除指示が受け取られる。ブロック５１８では、登録解除指示に応答して、解放メッセージが送られる。解放メッセージは、共用ＳＩＭパラメータを解放する。
【００５１】
図６は、マシンタイプ通信を確立するための別の例示的な方法６００を示すフローチャートである。方法６００は、マシンタイプ通信のための接続要求がアクセスネットワークへ伝送されるブロック６０２から開始し得る。接続要求は、ＭＴＣデバイスのための認証証明を含む。いくつかの実装において、接続要求は、マシンタイプ通信のために構成された、ロングタームエボリューション（ＬＴＥ）ＭＴＣデバイスにおいて伝送される。ブロック６０４では、接続要求に応答して、マシンタイプ通信のための共用加入者識別モジュール（ＳＩＭ）パラメータが、受け取られる。いくつかの場合において、共用ＳＩＭパラメータは、暗号化される。これらの場合または他の場合において、暗号化された共用ＳＩＭパラメータは、解読される。ブロック６０６では、通信チャネルのための登録要求が伝送される。登録要求は、共用ＳＩＭパラメータを含む。ブロック６０８では、登録要求に応答して、登録応答が受け取られる。登録応答は、通信チャネルを与える。ブロック６１０では、通信チャネルを介してマシンタイプ通信のためのデータパケットが伝送される。いくつかの実装において、マシンタイプ通信のためのデータパケットは、アクセスネットワークを介して伝送される。ブロック６１２では、登録解除指示が伝送される。登録解除指示は、共用ＳＩＭパラメータを解放する。
【００５２】
共用ＳＩＭパラメータと、アクセスマニフェストパラメータと、認証証明とに対する前述の言及は、パブリックキー；プライベートキー；証書；シークレット；署名；発行者識別番号（ＩＩＮ）、個人口座（Ｉｎｄｉｖｉｄｕａｌ  Ａｃｃｏｕｎｔ）識別および検査数字を含み得るＳＩＭ集積回路カード識別子（ＩＣＣＩＤ）；国際移動体加入者識別番号（ＩＭＳＩ）；認証キー（Ｋｉ）；ロケーションエリア識別情報；ショートメッセージサービスセンター（ＳＭＳＣ）番号；モバイルマネジメントエンティティ（ＭＭＥ）一時的移動体加入者識別（Ｍ−ＴＭＳＩ）およびＭＭＥコード（ＭＭＥＣ）を含み得るシステムアーキテクチャエボリューション（ＳＡＥ）一時的移動体加入者識別（Ｓ−ＴＭＳＩ）；または特定の状況において必要な他のパラメータのうちの１つ以上を、含み得る。例において、共用ＳＩＭパラメータは、ＩＭＳＩおよび認証キーのみを含む。
【００５３】
動作が図において特定の順番で表される一方、これは、望ましい結果を達成するために、そのような操作が示される特定の順番または連続する順番で実行されたり、全ての示された操作が実行されたりすることを要求すると理解されるべきではない。特定の状況において、多重タスク処理および並行処理が、採用され得る。更に、上記の実装における様々なシステム構成要素の分離は、全ての実装においてそのような分離を要求すると理解されるべきではなく、説明されるプログラム構成要素およびシステムが、概して、信号ソフトウェア製品に共に統合されるか、または複数のソフトウェア製品にパッケージされることができると理解されるべきである。
【００５４】
更に、個別または別々に様々な実装において説明および例示される技術、システム、サブシステムおよび方法は、他のシステム、モジュール、技術、または方法と組み合わせられるか、統合され得る。連結されたもの、直接連結されたもの、またはたがいに通信するものとして表示または議論される他のアイテムは、間接的に連結し得るか、または何らかのインターフェース、デバイス、または中間構成要素を通して、電気的、機械的、または他の方法で、通信し得る。変更、置き換えおよび修正に関する他の例は、当業者によって確認可能であり、行われることができる。
【００５５】
上の詳細な説明が様々な実装に適用されるように、開示の基本的な新しい特性を示し、説明し、指摘した一方、例示されるシステムの形態および詳細において様々な省略、置き換えおよび変更が、当業者によって行われ得ることが理解される。加えて、方法ステップの順番は、特許請求の範囲で示される順番で実装されない。
【図１】
2018522492.tif 000003
【図２】
2018522492.tif 000004
【図３】
2018522492.tif 000005
【図４】
2018522492.tif 000006
【図５】
2018522492.tif 000007
【図６】
2018522492.tif 000008
【国際調査報告】
2018522492.tif 000009
2018522492.tif 000010
2018522492.tif 000011